(57)【要約】【課題】  複数のクライアントが同じ情報を編集し保存先に保存する場合、保存する画像データの整合性を確保するとともに、上書き保存内容の確認が容易にできる情報処理システム及び情報処理方法を提供する。【解決手段】  この情報処理方法は、第１及び第２の情報処理装置を含む複数の情報処理装置と、情報を保存する保存サーバと、を相互通信可能に接続して実行可能であり、第１の情報処理装置が情報を編集し、第２の情報処理装置が第１の情報処理装置の編集中に情報と同一の情報を編集し、第１の情報処理装置が編集を終了し、自らの優先度を設定しその編集後の情報を前記保存サーバに保存し、第２の情報処理装置が編集を終了し、自らの優先度を設定しその編集後の情報の保存サーバに対する保存を実行し、第２の情報処理装置が第１の情報処理装置よりも優先度が低い場合、第２の情報処理装置に通知をし、その通知を受けた第２の情報処理装置の表示部に第１の情報処理装置による編集後の情報が保存されている旨の表示を行う。【選択図】  図３
2006113958.tif 000002
【特許請求の範囲】
【請求項１】
複数の情報処理装置と、情報を保存する保存サーバと、を相互通信可能に接続した情報処理システムであって、
前記複数の情報処理装置が同一の情報をほぼ同時期に編集する場合、それらの編集後の情報を前記保存サーバに保存するときの各優先度を設定する手段と、
前記優先度の低い情報処理装置が前記編集後の情報を保存するとき、前記優先度の低い情報処理装置に通知をする手段と、を備えることを特徴とする情報処理システム。
【請求項２】
前記通知を受けた優先度の低い情報処理装置の表示部に前記優先度の高い情報処理装置による編集後の情報が保存されている旨の表示を行うことを特徴とする請求項１に記載の情報処理システム。
【請求項３】
前記通知を受けた優先度の低い情報処理装置が編集した情報を上書き保存するか、または、その上書き保存を中止するかを選択できることを特徴とする請求項２に記載の情報処理システム。
【請求項４】
第１及び第２の情報処理装置を含む複数の情報処理装置と、情報を保存する保存サーバと、を相互通信可能に接続した情報処理システムであって、
前記第１及び第２の情報処理装置が同一の情報をほぼ同時期に編集し、前記第２の情報処理装置が編集した情報を前記第１の情報処理装置よりも後に前記保存サーバに保存する場合、前記第１の情報処理装置で編集し保存した内容を前記第２の情報処理装置に通知する手段と、
前記第２の情報処理装置で編集した情報を上書き保存するか、または、上書き保存を中止するかを選択する手段と、を備えることを特徴とする情報処理システム。
【請求項５】
前記通知を受けた第２の情報処理装置の表示部に前記第１の情報処理装置で編集し保存した内容を表示することを特徴とする請求項４に記載の情報処理システム。
【請求項６】
前記第２の情報処理装置の表示部に前記第２の情報処理装置で編集し保存した内容を表示することを特徴とする請求項５に記載の情報処理システム。
【請求項７】
同一の情報に対し１つの編集内容でしか保存できない場合、いずれの編集内容でその情報を保存するかを選択できることを特徴とする請求項４，５または６に記載の情報処理システム。
【請求項８】
前記各情報処理装置は医用画像情報を処理し、前記保存サーバは前記医用画像情報を保存する請求項１乃至７のいずれか１項に記載の情報処理システム。
【請求項９】
第１及び第２の情報処理装置を含む複数の情報処理装置と、情報を保存する保存サーバと、を相互通信可能に接続して実行可能な情報処理方法であって、
前記第１の情報処理装置が情報を編集するステップと、
前記第２の情報処理装置が前記第１の情報処理装置の編集中に前記情報と同一の情報を編集するステップと、
前記第１の情報処理装置が編集を終了し、自らの優先度を設定するとともにその編集後の情報を前記保存サーバに保存するステップと、
前記第２の情報処理装置が編集を終了し、自らの優先度を設定するとともにその編集後の情報の前記保存サーバに対する保存を実行するステップと、
前記第２の情報処理装置が前記第１の情報処理装置よりも優先度が低い場合、前記第２の情報処理装置に通知をするステップと、
前記通知を受けた第２の情報処理装置の表示部に前記第１の情報処理装置による編集後の情報が保存されている旨の表示を行うステップと、を含むことを特徴とする情報処理方法。
【請求項１０】
前記通知を受けた第２の情報処理装置が自ら編集した情報を上書き保存するか、または、その上書き保存を中止するかを選択するステップを含むことを特徴とする請求項９に記載の情報処理方法。
【請求項１１】
第１及び第２の情報処理装置を含む複数の情報処理装置と、情報を保存する保存サーバと、を相互通信可能に接続して実行可能な情報処理方法であって、
前記第１の情報処理装置が情報を編集するステップと、
前記第２の情報処理装置が前記第１の情報処理装置の編集中に前記情報と同一の情報を編集するステップと、
前記第１の情報処理装置が編集を終了し、その編集後の情報を前記保存サーバに保存するステップと、
前記第２の情報処理装置が編集を終了し、前記第１の情報処理装置による保存の後に、その編集後の情報の前記保存サーバに対する保存を実行するステップと、
前記第１の情報処理装置で編集し保存した内容を前記第２の情報処理装置に通知するステップと、
前記通知を受けた第２の情報処理装置の表示部に前記第１の情報処理装置で編集し保存した内容を表示するステップと、
前記第２の情報処理装置で編集した情報を上書き保存するか、または、上書き保存を中止するかを選択するステップと、を含むことを特徴とする情報処理方法。
【請求項１２】
前記第２の情報処理装置の表示部に前記第２の情報処理装置で編集し保存した内容を表示するステップを含むことを特徴とする請求項１２に記載の情報処理方法。
【請求項１３】
同一の情報に対し１つの編集内容でしか保存できない場合、いずれの編集内容でその情報を保存するかを選択するステップを含むことを特徴とする請求項１１または１２に記載の情報処理方法。
【請求項１４】
前記各情報処理装置は医用画像情報を処理し、前記保存サーバは前記医用画像情報を保存する請求項９乃至１３のいずれか１項に記載の情報処理方法。
【発明の詳細な説明】
【技術分野】
【０００１】
本発明は、複数の情報処理装置と情報を保存する保存サーバとを相互通信可能に接続した情報処理システム及び情報処理方法に関するものである。
【背景技術】
【０００２】
下記特許文献１は、遠隔地にある複数利用者が、通信回線で接続されたワークステーション（端末装置）を介して共同活動を行う共同情報処理システム、会議システム、およびその制御方法を開示する。この特許文献１は、複数のワークステーションからなり、共同作業に適用するアプリケーションプログラムの動作モードを適宜選択できるようにした共同情報処理システムの提供を目的とし、アプリケーションプログラムの起動時に、入力データまたはコマンドを各ステーションが連動して実行する動作モードと、１つのステーションで実行した結果を他のステーションに分配する動作モードと、を自由に選択できるようにしている。
【０００３】
上記システムにおいて、複数のクライアントが同じ情報を編集し、その編集後の内容で情報を保存する場合、後から保存を行った情報が前に保存を行った情報に上書きされ、後から保存の情報内容が反映されてしまう。このため、同時に情報の編集を行ったときの情報の整合性を確保できなかったり、上書きしたくない内容まで上書きされてしまう。
【０００４】
また、医用画像情報を複数の医用画像処理装置で画像処理し編集してから、画像保存サーバに保存するようにした医用画像情報処理システムでは、複数の放射線技師が同じ医用画像を処理し編集して画像保存サーバに保存した場合、画像保存サーバにおける当該医用画像データには後から保存した内容が反映され、医用画像データの整合性を確保できなかったり、患者検査コメントやメモ等の上書きしたくない内容まで上書きされてしまうおそれがある。
【特許文献１】特開平５−２７４２４０号公報
【発明の開示】
【発明が解決しようとする課題】
【０００５】
本発明は、上述のような従来技術の問題に鑑み、複数のクライアントが同じ情報を編集し保存先に保存する場合、保存する画像データの整合性を確保するとともに、上書き保存内容の確認が容易にできる情報処理システム及び情報処理方法を提供することを目的とする。また、複数のクライアントが同じ医用画像を編集し保存先に保存する場合、保存する医用画像データの整合性を確保するとともに、上書き保存内容の確認が容易にできる医用画像情報処理システム及び医用画像処理方法を提供することを目的とする。
【課題を解決するための手段】
【０００６】
上記目的を達成するために、本発明による第１の情報処理システムは、複数の情報処理装置と、情報を保存する保存サーバと、を相互通信可能に接続した情報処理システムであって、前記複数の情報処理装置が同一の情報をほぼ同時期に編集する場合、それらの編集後の情報を前記保存サーバに保存するときの各優先度を設定する手段と、前記優先度の低い情報処理装置が前記編集後の情報を保存するとき、前記優先度の低い情報処理装置に通知をする手段と、を備えることを特徴とする。
【０００７】
第１の情報処理システムによれば、複数のクライアント（情報処理装置）が同じ情報を編集しているとき、保存サーバに対する保存処理について各クライアントの権限（優先度）を設定し、権限の低い側が編集後の情報を後から保存する場合に通知を行うことで、権限の高い側で編集した情報が先に保存されていることを確認でき、その編集後の情報の上書き保存または上書き保存中止等を判断できるので、保存サーバに保存する情報の整合性を確保できる。
【０００８】
上記第１の情報処理システムにおいて前記通知を受けた優先度の低い情報処理装置の表示部に前記優先度の高い情報処理装置による編集後の情報が保存されている旨の表示を行うことが好ましい。
【０００９】
この場合、前記通知を受けた優先度の低い情報処理装置が編集した情報を上書き保存するか、または、その上書き保存を中止するかを選択できることが好ましい。更に、追記を行うことを選択できるようにしてもよい。
【００１０】
本発明による第２の情報処理システムは、第１及び第２の情報処理装置を含む複数の情報処理装置と、情報を保存する保存サーバと、を相互通信可能に接続した情報処理システムであって、前記第１及び第２の情報処理装置が同一の情報をほぼ同時期に編集し、前記第２の情報処理装置が編集した情報を前記第１の情報処理装置よりも後に前記保存サーバに保存する場合、前記第１の情報処理装置で編集し保存した内容を前記第２の情報処理装置に通知する手段と、前記第２の情報処理装置で編集した情報を上書き保存するか、または、上書き保存を中止するかを選択する手段と、を備えることを特徴とする。
【００１１】
第２の情報処理システムによれば、複数のクライアント（情報処理装置）が同じ情報を編集しているとき、後から保存するクライアントに対し、先の保存内容を通知し、先に保存したクライアントの編集した内容を確認することができ、上書き保存内容の確認を容易にできるので、後からの保存の内容で上書き保存するか、保存を中止するかを判断可能であり、保存サーバに保存する情報の整合性を確保できる。なお、後からの保存の内容を追記することを選択できるようにしてもよい。
【００１２】
第２の情報処理システムにおいて前記通知を受けた第２の情報処理装置の表示部に前記第１の情報処理装置で編集し保存した内容を表示することで、先に保存した内容が分かる。
【００１３】
この場合、前記第２の情報処理装置の表示部に前記第２の情報処理装置で編集し保存した内容を表示することで、先に保存した内容と、後で保存しようとする内容とを対比させて表示することができるので、選択を行う際に便利である。
【００１４】
また、同一の情報に対し１つの編集内容でしか保存できない場合、いずれの編集内容でその情報を保存するかを選択できることが好ましい。
【００１５】
また、上記第１または第２の情報処理システムにおいて、前記各情報処理装置は医用画像情報を処理し、前記保存サーバは前記医用画像情報を保存することで医用画像情報処理システムを構成することにより、複数のクライアント（放射線技師）が同じ医用画像を編集し保存先に保存する場合、保存する医用画像データの整合性を確保するとともに、上書き保存内容の確認が容易にできる。
【００１６】
本発明による第１の情報処理方法は、第１及び第２の情報処理装置を含む複数の情報処理装置と、情報を保存する保存サーバと、を相互通信可能に接続して実行可能な情報処理方法であって、前記第１の情報処理装置が情報を編集するステップと、前記第２の情報処理装置が前記第１の情報処理装置の編集中に前記情報と同一の情報を編集するステップと、前記第１の情報処理装置が編集を終了し、自らの優先度を設定するとともにその編集後の情報を前記保存サーバに保存するステップと、前記第２の情報処理装置が編集を終了し、自らの優先度を設定するとともにその編集後の情報の前記保存サーバに対する保存を実行するステップと、前記第２の情報処理装置が前記第１の情報処理装置よりも優先度が低い場合、前記第２の情報処理装置に通知をするステップと、前記通知を受けた第２の情報処理装置の表示部に前記第１の情報処理装置による編集後の情報が保存されている旨の表示を行うステップと、を含むことを特徴とする。
【００１７】
第１の情報処理方法によれば、複数のクライアント（情報処理装置）が同じ情報を編集しているとき、保存サーバに対する保存処理について各クライアントの権限（優先度）を設定し、権限の低い側が編集後の情報を後から保存する場合に通知を行い、優先度の高い側による編集後の情報が保存されている旨の表示を行うことで、権限の高い側で編集した情報が先に保存されていることを確認でき、その編集後の情報の上書き保存または上書き保存中止等を判断できるので、保存サーバに保存する情報の整合性を確保できる。
【００１８】
上記第１の情報処理方法において前記通知を受けた第２の情報処理装置が自ら編集した情報を上書き保存するか、または、その上書き保存を中止するかを選択するステップを含むことが好ましい。
【００１９】
本発明による第２の情報処理方法は、第１及び第２の情報処理装置を含む複数の情報処理装置と、情報を保存する保存サーバと、を相互通信可能に接続して実行可能な情報処理方法であって、前記第１の情報処理装置が情報を編集するステップと、前記第２の情報処理装置が前記第１の情報処理装置の編集中に前記情報と同一の情報を編集するステップと、前記第１の情報処理装置が編集を終了し、その編集後の情報を前記保存サーバに保存するステップと、前記第２の情報処理装置が編集を終了し、前記第１の情報処理装置による保存の後に、その編集後の情報の前記保存サーバに対する保存を実行するステップと、前記第１の情報処理装置で編集し保存した内容を前記第２の情報処理装置に通知するステップと、前記通知を受けた第２の情報処理装置の表示部に前記第１の情報処理装置で編集し保存した内容を表示するステップと、前記第２の情報処理装置で編集した情報を上書き保存するか、または、上書き保存を中止するかを選択するステップと、を含むことを特徴とする。
【００２０】
第２の情報処理方法によれば、複数のクライアント（情報処理装置）が同じ情報を編集しているとき、後から保存するクライアントに対し、先の保存内容を通知し、先に保存したクライアントの編集した内容を確認することができ、上書き保存内容の確認を容易にできるので、後からの保存の内容で上書き保存するか、保存を中止するかを判断可能であり、保存サーバに保存する情報の整合性を確保できる。なお、後からの保存の内容を追記することを選択できるようにしてもよい。
【００２１】
第２の情報処理方法において前記第２の情報処理装置の表示部に前記第２の情報処理装置で編集し保存した内容を表示するステップを含むことことで、先に保存した内容と、後で保存しようとする内容とを対比させて表示することができるので、選択を行う際に便利である。
【００２２】
また、同一の情報に対し１つの編集内容でしか保存できない場合、いずれの編集内容でその情報を保存するかを選択するステップを含むことが好ましい。
【００２３】
また、上記第１または第２の情報処理方法において、前記各情報処理装置は医用画像情報を処理し、前記保存サーバは前記医用画像情報を保存するように構成することにより、複数のクライアント（放射線技師）が同じ医用画像を編集し保存先に保存する場合、保存する医用画像データの整合性を確保するとともに、上書き保存内容の確認が容易にできる。
【発明の効果】
【００２４】
本発明の情報処理システム及び情報処理方法によれば、複数のクライアントが同じ情報を編集し保存先に保存する場合、保存する画像データの整合性を確保するとともに、上書き保存内容の確認が容易にできる。
【発明を実施するための最良の形態】
【００２５】
以下、本発明を実施するための最良の形態について図面を用いて説明する。図１は、本実施の形態による医用画像情報処理システムを示すブロック図である。図２は、図１の第１及び第２の医用画像処理装置の概略的構成を示すブロック図である。
【００２６】
図１に示す医用画像情報処理システムは、ＣＴ、ＭＲＩ、ＣＲ等の各種のモダリテイ機器の少なくとも１種からなりかつ撮影により医用画像を発生させる複数の医用画像発生装置１，２，３と、医用画像発生装置１〜３からの医用画像を受信しいったん保存し医用画像処理装置５，６に送るサーバ４と、サーバ４からの医用画像を受信し表示し必要に応じて画像処理を行い、その医用画像診断に適するものかを確認する第１及び第２の医用画像処理装置５，６と、医用画像処理装置５，６から出力された医用画像を保存し登録することで管理する保存サーバ７と、保存サーバ７で保存された医用画像をディスプレイに表示し診断のために参照する画像参照装置８と、を含む。
【００２７】
なお、保存サーバ７は、保存し管理している画像を画像参照装置８に提供する画像提供機能を有する。また、画像参照装置８は、医師が診断のときに医用画像を参照するもので、画像ビューワともいわれる。
【００２８】
図１における各装置間の接続手段は、特に制限はなく、専用線にて接続されていてもよいし、ネットワークによる接続でもかまわない。各装置間の各接続手段は同じ手段であってもよいし、それぞれ異なった手段であってもよい。ネットワークは、例えば単一の病院内に敷設されたＬＡＮ(Local Area Network)であったり、ＬＡＮは、単一のＬＡＮセグメントで構成されても、ルータ（またはゲートウェイ）経由で相互接続された複数のＬＡＮセグメントで構成されてもよい。更に、ネットワークは、専用線等を介して遠隔の病院のＬＡＮどうしを接続して構成されるＷＡＮ(Wide Area Network)やインターネットのような広域ネットワークであってもよい。
【００２９】
医用画像処理装置５、６は、パーソナルコンピュータから構成可能であり、図２のように、サーバ４から送信された医用画像とその付帯情報を含む医用画像情報を受信する受信部１１と、医用画像情報を記憶し電子保存するハードディスク記憶装置（ＨＤＤ）１２と、医用画像や付帯情報を画像処理や確認のために表示する液晶パネルやＣＲＴ等から構成される表示部１３と、ユーザが必要な動作を選択し入力するためのキーボードやマウス等のポインティングデバイス等からなる操作部１４と、を備える。
【００３０】
医用画像処理装置５，６は、更に、表示部１３に表示された医用画像について適宜必要な画像処理を行う画像処理部１５と、ＨＤＤ１２の残容量が少なくなったとき自動的に医用画像情報のバックアップ電子保存を行うバックアップ保存部１６と、医用画像をその付帯情報とともに図１の保存サーバ７に出力する出力部１７と、上述の各部１１乃至１７を制御する中央演算装置（ＣＰＵ）からなる制御部１８と、を備える。
【００３１】
各医用画像処理装置５，６では、サーバ４から同一の情報を取得しほぼ同時期にその情報について画像処理等の編集を行う場合、それらの編集後の医用画像情報を保存サーバ７に保存するときの各優先度を操作部１４から入力し設定することができる。
【００３２】
ここで、例えば、第１の医用画像処理装置５を操作する放射線技師をクライアントＡとし、第２の医用画像処理装置６を操作する放射線技師をクライアントＢとし、クライアントＡがクライアントＢよりも高い権限を有し、編集後の医用画像を保存サーバ７に保存する場合の優先度（権限）に関し、第１の医用画像処理装置５（クライアントＡ）において優先度を「高」に設定し、第２の医用画像処理装置６（クライアントＢ）において優先度を「中」に設定する。
【００３３】
また、保存サーバ７は、優先度の高い医用画像処理装置５による編集後の医用画像情報を保存した後、優先度の低い医用画像処理装置６が同一の医用画像情報について編集後の内容で保存しようとしたとき、医用画像処理装置６に対し、医用画像処理装置５による編集後の医用画像情報が保存済みであることを通知するようになっている。
【００３４】
かかる通知を受けた医用画像処理装置６では、その表示部１３にその旨の表示をするとともに、優先度の低い医用画像処理装置６が編集した医用画像情報を保存サーバ７に上書き保存するか、または、その上書き保存を中止するかを選択するための選択画面が表示される（図５参照）。なお、上記通知は、優先度の高い医用画像処理装置５から優先度の低い医用画像処理装置６に直接行うようにしてもよい。
【００３５】
また、上述のようなクライアントＡ，Ｂの優先度の設定を行わずに、各医用画像処理装置５，６でサーバ４から同一の情報を取得しほぼ同時期にその情報について画像処理等の編集を行う場合、例えば第２の医用画像処理装置６が編集した情報を第１の医用画像処理装置５よりも後に保存サーバ７に保存しようとしたとき、保存サーバ７は、第１の医用画像処理装置５で編集し保存した内容を第２の医用画像処理装置６に通知し、その内容を第２の医用画像処理装置６の表示部１３に表示するとともに、第２の医用画像処理装置６で編集した医用画像情報を上書き保存するか、追記するか、または、上書き保存を中止するかを選択する選択画面を表示するようになっている（図９参照）。なお、上記通知は、第１の医用画像処理装置５から第２の医用画像処理装置６に直接行うようにしてもよい。
【００３６】
次に、図１の医用画像情報処理システムにおける動作（Ｓ０１〜Ｓ１３）を図３乃至図５を参照して説明する。
【００３７】
図３は図１の医用画像情報処理システムの動作を説明するためのフローチャートである。図４（ａ）は図３のステップＳ０１，Ｓ０２の動作を模式的に示す図であり、図４（ｂ）は図３のステップＳ０３，Ｓ０４，Ｓ０５の動作を模式的に示す図であり、図４（ｃ）は図３のステップＳ０６，Ｓ０７，Ｓ０８の動作を模式的に示す図である。図５は図３のステップＳ１０、Ｓ１１、Ｓ１２で表示される画面の例を示す図である。
【００３８】
図３のように、図１の医用画像発生装置１〜３のいずれかで取得した医用画像情報をサーバ４が受信し保存しており、図４（ａ）のようにクライアントＡが第１の医用画像処理装置５を使用してサーバ４から受信した医用画像情報を編集し（Ｓ０１）、その間にクライアントＢが第２の医用画像処理装置６を使用してサーバ４から受信した同一の医用画像情報を編集している（Ｓ０２）。
【００３９】
そして、図４（ｂ）のように、クライアントＡの編集が終了すると（Ｓ０３）、クライアントＡは自らの優先度を「高」に設定し（Ｓ０４）、その編集後の内容で保存サーバ７に保存する（Ｓ０５）。
【００４０】
次に、図４（ｃ）のように、クライアントＢの編集が終了すると（Ｓ０６）、クライアントＢは自らの優先度を「中」に設定し（Ｓ０７）、その編集後の内容で保存サーバ７に保存するかまたは編集を中止するかを判断し（Ｓ０８）、中止の場合、クライアントＢの編集を中止する（Ｓ１３）。
【００４１】
保存の場合（Ｓ０８）、サーバ７に保存する旨の指示を出すと、保存サーバ７からクライアントＡによる編集後の医用画像情報が保存されている旨の通知が第２の医用画像処理装置６に対し行われ（Ｓ０９）、その旨が表示部１３の図５の画面１３ａに例えば、「権限が上の保存内容がありますどうしますか？」のように表示される（Ｓ１０）。
【００４２】
そして、クライアントＢは、クライアントＢによる編集後の医用画像情報を上書き保存するか、上書き保存を中止するかを決め（Ｓ１１）、上書き保存する場合には、図５の画面１３ａ上で「確認上書き」のボタン１３ａを押し下げることで保存を実行し（Ｓ１２）、または、上書き保存中止の場合には、「保存中止」のボタン１３ｃを押し下げることで、保存が中止されて終了する。
【００４３】
以上のように、複数のクライアントＡ，Ｂ（医用画像処理装置５，６）が同じ医用画像情報を編集しているとき、保存サーバ７に対する保存処理について各クライアントＡ，Ｂの権限（優先度）を設定し、権限の低い側が編集後の医用画像情報を後から保存する場合に通知を行うことで、権限の高い側で編集した医用画像情報が先に保存されていることを確認でき、その編集後の医用画像情報の上書き保存または上書き保存中止を判断できるので、保存サーバ７に保存する医用画像の整合性を確保できる。
【００４４】
なお、優先度の設定に際しては、上述のようにクライアントの権限により設定する以外に、編集時の優先度、日付等により設定してもよく、その設定された優先度に従って医用画像情報の編集後の保存が行われるので、保存サーバ７に保存されて管理される医用画像情報の整合性を確保できる。
【００４５】
また、図３，図４において、権限の低い第２の医用画像処理装置６の方が先に編集を終了し保存サーバ７に保存した後に、権限の高い第１の医用画像処理装置５が保存する場合は、優先度に従って、そのまま第１の医用画像処理装置５で編集した内容で上書き保存される。
【００４６】
次に、図１の医用画像情報処理システムにおける別の動作（Ｓ２１〜Ｓ３３）を図６乃至図９を参照して説明する。
【００４７】
図６は図１の医用画像情報処理システムの別の動作を説明するためのフローチャートである。図７（ａ）は図６のステップＳ２１，Ｓ２２の動作を模式的に示す図であり、図７（ｂ）は図６のステップＳ２３，Ｓ２４の動作を模式的に示す図であり、図７（ｃ）は図６のステップＳ２５，Ｓ２６，Ｓ２７の動作を模式的に示す図である。図８は図６のステップＳ２８で表示される画面の例を示す図である。図９は図６のステップＳ２９，Ｓ３０，Ｓ３１，Ｓ３２で表示される画面の例を示す図である。
【００４８】
図６のように、図１の医用画像発生装置１〜３のいずれかで取得した医用画像情報をサーバ４が受信し保存しており、図７（ａ）のようにクライアントＡが第１の医用画像処理装置５を使用してサーバ４から受信した医用画像情報を編集し（Ｓ２１）、その間にクライアントＢが第２の医用画像処理装置６を使用してサーバ４から受信した同一の医用画像情報を編集している（Ｓ２２）。
【００４９】
そして、図７（ｂ）のように、クライアントＡの編集が終了すると（Ｓ２３）、その編集後の内容で保存サーバ７に保存する（Ｓ２４）。
【００５０】
次に、図７（ｃ）のように、クライアントＢの編集が終了すると（Ｓ２５）、その編集後の内容で保存サーバ７に保存するかまたは編集を中止するかを判断し（Ｓ２６）、中止の場合、クライアントＢの編集を中止し（Ｓ３３）、保存の場合は、その編集後の内容で保存サーバ７に保存する旨の指示を出すと、保存サーバ７からクライアントＡによる編集後の保存内容が第２の医用画像処理装置６に通知され（Ｓ２７）、その旨が、例えば表示部１３の図８の画面１３ｄのように表示される（Ｓ２８）。
【００５１】
更に、クライアントＢによる編集後の保存内容が、例えば図９の画面１３ｅのように画面１３ｄと対比し易いように並んで表示される（Ｓ２９）。そして、クライアントＢは、クライアントＢによる編集後の医用画像情報を上書き保存するか、追記するか、いずれも中止するかを決め（Ｓ３０）、上書き保存する場合には、図９の画面１３ｆ上で「上書き」のボタン１３ｇを押し下げることで上書き保存を実行する（Ｓ３１）。また、追記保存する場合には、「追記」のボタン１３ｈを押し下げることで追記保存を実行し（Ｓ３２）、または、いずれも中止する場合には、「キャンセル」のボタン１３ｉを押し下げることで、保存が中止されて終了する。
【００５２】
以上のように、図６乃至図９では、複数のクライアントＡ，Ｂ（医用画像処理装置５，６）が同時期に編集を行い、クライアントＢが後から保存する場合、先にクライアントＡで編集した医用画像情報の保存内容の確認を行い、上書きまたは追記を行うことができるので、前編集内容の重複チェック・内容の追記を行うことができ、同一の医用画像情報を編集するときの上書き保存ミスの軽減・保存内容のダブルチェックを容易にすることができ、保存サーバ７に保存されて管理される医用画像情報の整合性を確保できる。
【００５３】
また、従来は医用画像情報の編集後に保存を行うと、後から保存を行った医用画像情報に含まれる患者情報が上書き保存され、上書き保存前の患者情報に含まれていた上書きしたくない内容（患者検査コメント、メモ等）も上書きされてしまうのに対し、上書きしたくない内容については追記保存が可能であり、上書きされて消去してしまうことはない。
【００５４】
また、１つの医用画像情報に対して１つの編集内容でしか保存できず、追記ができないような場合は、いずれの編集内容でその情報を保存するかを選択できるように構成することが好ましい。
【００５５】
以上のように本発明を実施するための最良の形態について説明したが、本発明はこれらに限定されるものではなく、本発明の技術的思想の範囲内で各種の変形が可能である。例えば、本実施の形態では、医用画像情報を扱う医用画像情報処理システムを説明したが、本発明はこれに限定されずに、各種の情報について複数の情報処理装置が編集し、保存サーバに保存するように情報処理システムを構成できることは勿論である。
【図面の簡単な説明】
【００５６】
【図１】本実施の形態による医用画像情報処理システムを示すブロック図である。
【図２】図１の第１及び第２の医用画像処理装置の概略的構成を示すブロック図である。
【図３】図１の医用画像情報処理システムの動作を説明するためのフローチャートである。
【図４】図４（ａ）は図３のステップＳ０１，Ｓ０２の動作を模式的に示す図であり、図４（ｂ）は図３のステップＳ０３，Ｓ０４，Ｓ０５の動作を模式的に示す図であり、図４（ｃ）は図３のステップＳ０６，Ｓ０７，Ｓ０８の動作を模式的に示す図である。
【図５】図３のステップＳ１０、Ｓ１１、Ｓ１２で表示される画面の例を示す図である。
【図６】図１の医用画像情報処理システムの別の動作を説明するためのフローチャートである。
【図７】図７（ａ）は図６のステップＳ２１，Ｓ２２の動作を模式的に示す図であり、図７（ｂ）は図６のステップＳ２３，Ｓ２４の動作を模式的に示す図であり、図７（ｃ）は図６のステップＳ２５，Ｓ２６，Ｓ２７の動作を模式的に示す図である。
【図８】図６のステップＳ２８で表示される画面の例を示す図である。
【図９】図６のステップＳ２９，Ｓ３０，Ｓ３１，Ｓ３２で表示される画面の例を示す図である。
【符号の説明】
【００５７】
１〜３ 医用画像発生装置
４ サーバ
５，６ 医用画像処理装置
７ 保存サーバ
１３ 表示部
１８ 制御部
Ａ，Ｂ クライアント
【図１】
2006113958.tif 000003
【図２】
2006113958.tif 000004
【図３】
2006113958.tif 000005
【図４】
2006113958.tif 000006
【図５】
2006113958.tif 000007
【図６】
2006113958.tif 000008
【図７】
2006113958.tif 000009
【図８】
2006113958.tif 000010
【図９】
2006113958.tif 000011